(57)【要約】【課題】各トランスモジュレータの設定に手間がかかった。【解決手段】本発明のＣＡＴＶ用トランスモジュレーションシステムを構成する複数のトランスモジュレータに無線通信機能を付加し、各トランスモジュレータが前記無線通信機能によって他のトランスモジュレータと相互に無線通信して、複数のトランスモジュレータのうちから予め定められた主たるトランスモジュレータを検出し、検出した主たるトランスモジュレータから無線送信される各トランスモジュレータの動作条件を定めた設定データを受信し、受信した設定データに基づいて自らの動作条件を設定するようにしたものである。【選択図】　　図１
2004032174.tif 000002
【特許請求の範囲】
【請求項１】
ＢＳデジタル放送やＣＳデジタル放送を再送信するためのＣＡＴＶ用トランスモジュレーションシステムにおいて、該システムを構成する複数のトランスモジュレータが無線通信機能を有し、各トランスモジュレータは、前記無線通信機能によって他のトランスモジュレータと相互に無線通信して、複数のトランスモジュレータのうちから予め定められた主たるトランスモジュレータを検出し、検出した主たるトランスモジュレータから無線送信される各トランスモジュレータの動作条件を定めた設定データを受信し、受信した設定データに基づいて自らの動作条件を設定可能であることを特徴とするＣＡＴＶ用トランスモジュレーションシステム。
【請求項２】
主たるトランスモジュレータ以外のトランスモジュレータは、自己のステータスデータを主たるトランスモジュレータに無線送信可能であり、主たるトランスモジュレータは、受信したステータスデータを他の機器に無線送信可能であることを特徴とする請求項１記載のＣＡＴＶ用トランスモジュレーションシステム。
【発明の詳細な説明】
【０００１】
【発明の属する技術分野】
本発明は、ＢＳデジタル放送やＣＳデジタル放送をＣＡＴＶ伝送網によって再送信するためのトランスモジュレーションシステムに関するものである。
【０００２】
【従来の技術】
ＢＳデジタル放送やＣＳデジタル放送をトランスモジュレーション方式で再送信する場合、ヘッドエンドで受信したＢＳデジタル放送やＣＳデジタル放送をいったんデジタル信号に復調した後に、ＣＡＴＶ伝送用の変調方式に再変換する必要がある。具体的には、複数のトランスモジュレータから構成されるトランスモジュレーションシステムによって変調方式を変換する。ここで、トランスモジュレーションシステムを構成する個々のトランスモジュレータには、その受信周波数、受信ＴＳ、出力周波数等の設定データを予め読み込ませてあり、各トランスモジュレータはその設定に従って動作する。かかる設定データの読み込みや、いったん読み込ませた設定データの変更は、従来次の２つの方式によって行われている。
【０００３】
一つは、複数のトランスモジュレータを個々の起動時に設定する方式である（以下「個別設定方式」）。具体的には、予め個々のトランスモジュレータの設定（受信周波数、受信ＴＳ、出力周波数等）を決定し、その設定データを個々のトランスモジュレータに読み込ませて有効する。設定データを変更する際は、設定データを再構築し、再構築された設定データを個々のトランスモジュレータに再度読み込ませて有効にする。
【０００４】
他の一つは、コントローラーを使用して複数のトランスモジュレータを集中管理する方式である（以下「集中設定方式」）。具体的には、個々のトランスモジュレータとコントローラとをＬＡＮ等のネットワークを利用して相互に接続し、コントローラから個々のトランスモジュレータに設定データーを一斉に自動送信する。設定データを変更する際は、再構築された設定データをコントローラーから個々のトランスモジュレータに一斉に自動送信する。
【０００５】
【発明が解決しようとする課題】
前記個別設定方式には次のような課題があった。
（１）トランスモジュレータの設定内容をフレキシブルに変更することができない。
（２）複数のトランスモジュレータが独立して動作しているので、一つのトランスモジュレータの設定を変更すると、他の全てのトランスモジュレータの設定も変更しなくてはならない。
（３）あるトランスモジュレータに異常が発生した場合に、他のトランスモジュレータでこれを補完することができない。
（４）ダウンロード機能を設定するために、ダウンロードＴＳをＮＩＴに追加すると、全てのトランスモジュレータを設定し直さなくてはならない。
【０００６】
前記集中設定方式には次のような課題があった。
（１）コントローラーとトランスモジュレータとを接続するための配線が必要になる。
（２）コントローラーとトランスモジュレータとを接続するネットワークを構築するためには、各機器にＩＰアドレスを割り付ける等の作業が必要であり、この作業を行うためにはネットワークに関する知識が必要となる。
（３）トランスモジュレータの他にコントローラが必要になる。
（４）コントローラに異常が発生すると、システム全体がダウンする。
（５）コントローラがプログラムされたコンピュータである場合、システムの信頼性が該コンピュータの信頼性に依存することになる。
【０００７】
【課題を解決するための手段】
本発明は前記課題に鑑みてなされたものであり、その目的は前記課題を解決することにある。
【０００８】
本発明のＣＡＴＶ用トランスモジュレーションシステムの一つは、ＢＳデジタル放送やＣＳデジタル放送を再送信するためのＣＡＴＶ用トランスモジュレーションシステムであって、該システムを構成する複数のトランスモジュレータに無線通信機能を付加し、各トランスモジュレータが前記無線通信機能によって他のトランスモジュレータと相互に無線通信して、複数のトランスモジュレータのうちから予め定められた主たるトランスモジュレータを検出し、検出した主たるトランスモジュレータから無線送信される各トランスモジュレータの動作条件を定めた設定データを受信し、受信した設定データに基づいて自らの動作条件を設定するようにしたものである。
【０００９】
本発明のＣＡＴＶ用トランスモジュレーションシステムの他の一つは、主たるトランスモジュレータ以外のトランスモジュレータが自己のステータスデータを主たるトランスモジュレータに無線送信し、主たるトランスモジュレータが受信したステータスデータを他の機器に無線送信するようにしたものである。
【００１０】
【発明の実施の形態】
（実施形態１）
図１に本発明のトランスモジュレーションシステムの実施形態の一例を説明する。このトランスモジュレーションシステム１は、複数のトランスモジュレータ２から構成されており、ＣＡＴＶシステムのセンター局内に配備されている。
【００１１】
各トランスモジュレータ２は、Ｂｌｕｅｔｏｏｔｈインタフェイスを備えており、他のトランスモジュレータ２と相互に無線通信を行うことができる。さらに、複数のトランスモジュレータ２のうち、一つは主たるトランスモジュレータ（マスタートランスモジュレータ２ａ）として定められている。従って、マスタートランスモジュレータ２ａ及びその他のトランスモジュレータ（スレーブトランスモジュレータ２ｂ）は、電源がＯＮされると、無線通信可能エリア内にあるトランスモジュレータ２ａ及び２ｂの存在を認識する。さらに、各スレーブトランスモジュレータ２ｂは、認識した複数のトランスモジュレータ２のうちからマスタートランスモジュレータ２ａを検出する。
【００１２】
さらに、マスタートランスモジュレータ２ａを検出した各スレーブトランスモジュレータ２ｂは、マスター２ａに読み込まれている設定データやＮＩＴデータを該マスター２ａから無線通信によって取得し、取得した設定データやＮＩＴデータを自らのメモリに書き込む。これによって、各スレーブ２ｂは初期設定がされるか、既存の設定が更新され、以後マスター２ａから取得した設定データやＮＩＴデータに従って動作する。尚、マスター２ａに読み込まれている設定データやＮＩＴデータは、パソコン３上で構築され、該パソコン３から該マスター２ａに無線送信され、該マスター２ａのメモリに書き込まれたものである。
【００１３】
また、各スレーブトランスモジュレータ２ｂは、自己のステータスデータをマスタートランスモジュレータ２ａに随時、又は定期的に無線送信する。ステータスデータを受信したマスタートランスモジュレータ２ａは、受信したステータスデータを所定構造のデータベースとして保持し、随時、又は定期的にパソコン３に無線送信する。もっとも、Ｂｌｕｅｔｏｏｔｈインタフェイスを備えた他のパソコンや携帯電話をマスタートランスモジュレータ２ａに近づけてステータスデータを確認することもできる。この場合、パソコンや携帯電話が近づけらレーターマスタートランスモジュレータ２ａは、これらパソコン等を自動認識し、ステータスデータを無線送信する。
【００１４】
最後に、前記マスタートランスモジュレータ２ａに異常が発生した場合、複数のスレーブトランスモジュレータ２ａのいずれかにマスタートランスモジュレータとしての機能を譲ってシステムを維持することができる。
【００１５】
【発明の効果】
本発明のトランスモジュレーションシステムには次のような効果がある。
（１）主たるトランスモジュレータを設置すれば、その設定データが他のトランスモジュレータに無線送信されるので、複数のトランスモジュレータを個別に設定する必要がない。
（２）設定データの送信に無線通信を使用するので、各トランスモジュレータ間をケーブル等の配線で接続する必要がない。
（３）主たるトランスモジュレータが従来の集中管理方式におけるコントローラーと同様の機能を発揮するので、該コントローラーを準備することなく複数のトランスモジュレータを集中的に管理可能である。また、主たるトランスモジュレータに異常が発生した場合、他のトランスモジュレータによって代替が可能なので、システムの信頼性が高い。
（４）トランスモジュレータ間の無線通信にＢｌｕｅｔｏｏｔｈ技術を使用すれば、ネットワークの設定をすることなく上記効果を得ることができる。
【図面の簡単な説明】
【図１】
本発明のトランスモジュレーションシステムの一例を示す概略図。
【符号の説明】
１　トランスモジュレーションシステム
２ａ　　マスタートランスモジュレータ
２ｂ　　スレーブトランスモジュレータ
３　パソコン
【図１】
2004032174.tif 000003